(57)【要約】【課題】  携帯端末装置が、その記憶部の記憶容量を節約するために画像データをサーバに送信して消去した後であっても、記憶容量を節約しつつ、その画像データの内容を自機の表示部に表示させることができるような画像データ送信システム及び画像データ送信方法並びに携帯端末装置を提供する。【解決手段】  携帯端末装置２は、初期画像データ又は／及びこの初期画像データの低解像度画像データを記憶する記憶部２２と、この記憶部に記憶されている初期画像データをサーバに送信する通信部２６と、記憶部の初期画像データを通信部によりサーバに送信する場合にこの初期画像データの低解像度画像データを生成し、この低解像度画像データを記憶部に記憶すると共に初期画像データを消去する画像処理部２４とを有し、サーバ８は、携帯端末装置から受信した初期画像データを記憶する保存部１４を有するようにした。【選択図】      図１
2005109684.tif 000002
【特許請求の範囲】
【請求項１】
携帯端末装置とサーバを備える画像データ送信システムであって、
前記携帯端末装置は、初期画像データ又は／及びこの初期画像データに対応する低解像度画像データを記憶する記憶部と、この記憶部に記憶されている初期画像データを前記サーバに送信する通信部と、記憶部に記憶されている初期画像データを通信部によりサーバに送信する場合にこの初期画像データに対応する低解像度画像データを生成し、この低解像度画像データを記憶部に記憶すると共に初期画像データを消去する画像処理部とを有し、
前記サーバは、前記携帯端末装置から受信した初期画像データを記憶する保存部を有することを特徴とする画像データ送信システム。
【請求項２】
前記携帯端末装置は、前記記憶部に記憶した低解像度画像データに対応する初期画像データの送信を前記サーバに要求してこの初期画像データを受信する場合には、記憶部から低解像度画像データを消去するようにした請求項１に記載の画像データ送信システム。
【請求項３】
前記サーバは、前記携帯端末装置からの要求に基づき前記保存部に記憶していた初期画像データを携帯端末装置に送信した場合には、この初期画像データを保存部から消去するようにした請求項１又は請求項２に記載の画像データ送信システム。
【請求項４】
初期画像データ又は／及びこの画像データに対応する低解像度画像データを記憶する記憶部を有する携帯端末装置と、この携帯端末装置から受信した初期画像データを記憶する保存部を有するサーバとの間の画像データ送信方法であって、
前記携帯端末装置は、前記記憶部に記憶されている初期画像データを前記サーバに送信して前記保存部に記憶させた後にこの初期画像データに対応する低解像度画像データを生成し、この低解像度画像データを記憶部に記憶すると共に初期画像データを消去するようにしたことを特徴とする画像データ送信方法。
【請求項５】
初期画像データ又は／及びこの初期画像データに対応する低解像度画像データを記憶する記憶部と、
初期画像データ又は／及び低解像度画像データを表示する表示部と、
前記記憶部に記憶されている初期画像データを通信網のサーバに送信する通信部と、
前記記憶部に記憶されている初期画像データを前記通信部により前記サーバに送信する場合に、この初期画像データに対応する低解像度画像データを生成し、この低解像度画像データを記憶部に記憶すると共に初期画像データを消去する画像処理部と
を有する携帯端末装置。
【請求項６】
前記記憶部に初期画像データが記憶され、かつ、この初期画像データに対応する低解像度画像データが記憶されていない場合には、この初期画像データから生成されたサムネイル画像を前記表示部に表示し、
前記記憶部に初期画像データが記憶されているか否かに関わらずこの初期画像データに対応する低解像度画像データが記憶されている場合には、この低解像度画像データをサムネイル画像として前記表示部に表示するようにした請求項５に記載の携帯端末装置。
【請求項７】
低解像度画像データを前記表示部に表示しているときに所定の操作が行われた場合には、この低解像度画像データに対応する初期画像データをサーバから受信して前記記憶部に記憶するようにした請求項５又は請求項６に記載の携帯端末装置。
【請求項８】
初期画像データを前記サーバから受信する場合には、低解像度画像データを消去するようにした請求項７に記載の携帯端末装置。
【請求項９】
携帯端末装置と画像データの送受信を行なうサーバであって、
前記携帯端末装置から受信した画像データを記憶する保存部を有し、
前記携帯端末装置からの要求に基づき前記保存部に記憶していた画像データを前記携帯端末装置に送信した場合には、この画像データを前記保存部から消去するようにしたサーバ。
【発明の詳細な説明】
【技術分野】
【０００１】
本発明は、携帯端末装置とサーバを備える画像データ送信システム及び画像データ送信方法並びに携帯端末装置に関するものである。
【背景技術】
【０００２】
従来において、携帯電話機のような携帯端末装置に通話の着信があった場合に、その通話の内容が通信網のサーバに転送されて保存されるようになっているデータ送信システムがあった（例えば、特許文献１）。
【０００３】
一方、携帯端末装置の中には、画像データを送受信することができるようにしたものがあった。そして、前記特許文献１のようなデータ送信システムにおいて、通話の内容の代わりに画像データをサーバに送信することにより、携帯端末装置が他の端末装置から画像データを受信したような場合に、この画像データをサーバに転送して保存しておくことができるようにした画像データ送信システムがあった。
【０００４】
また、このような画像データ送信システムでは、画像データを受信したような場合に限らず、携帯端末装置が撮像機能を備えているような場合には、撮影した画像データをサーバに送信して保存しておくことも可能であった。
【０００５】
このような画像データ送信システムの構築によって、携帯端末装置は、受信した画像データや撮影した画像データを通信網のサーバに送信して保存することができると共に、送信後にこれらの画像データを自機の記憶部から消去して、その記憶容量を節約することができるようになっていた。
【特許文献１】特開２００１−１２７８７８号公報
【発明の開示】
【発明が解決しようとする課題】
【０００６】
しかしながら、このような画像データ送信システムにおいて、携帯端末装置は、画像データをサーバに送信した後に、これらの画像データを記憶部から消去して記憶部の記憶容量を節約するようになっていたため、消去した画像データを自機の表示部に表示させることができなくなってしまうという問題があった。
【０００７】
そこで本発明は、上記問題点に鑑みて、携帯端末装置が、その記憶部の記憶容量を節約するために画像データをサーバに送信して消去した後であっても、記憶容量を節約しつつ、その画像データの内容を自機の表示部に表示させることができるような画像データ送信システム及び画像データ送信方法並びに携帯端末装置を提供することを課題とするものである。
【課題を解決するための手段】
【０００８】
上記課題を解決するために本発明は、
携帯端末装置とサーバを備える画像データ送信システムであって、
前記携帯端末装置は、初期画像データ又は／及びこの初期画像データに対応する低解像度画像データを記憶する記憶部と、この記憶部に記憶されている初期画像データを前記サーバに送信する通信部と、記憶部に記憶されている初期画像データを通信部によりサーバに送信する場合にこの初期画像データに対応する低解像度画像データを生成し、この低解像度画像データを記憶部に記憶すると共に初期画像データを消去する画像処理部とを有し、
前記サーバは、前記携帯端末装置から受信した初期画像データを記憶する保存部を有することを特徴とするものである。
【０００９】
また、本発明による画像データ送信システムは、前記携帯端末装置が、前記記憶部に記憶した低解像度画像データに対応する初期画像データの送信を前記サーバに要求してこの初期画像データを受信する場合には、記憶部から低解像度画像データを消去するようにしたことを特徴とする。
【００１０】
また、本発明による画像データ送信システムは、前記サーバが、前記携帯端末装置からの要求に基づき前記保存部に記憶していた初期画像データを携帯端末装置に送信した場合には、この初期画像データを保存部から消去するようにしたことを特徴とする。
【００１１】
また、本発明は、
初期画像データ又は／及びこの画像データに対応する低解像度画像データを記憶する記憶部を有する携帯端末装置と、この携帯端末装置から受信した初期画像データを記憶する保存部を有するサーバとの間の画像データ送信方法であって、
前記携帯端末装置は、前記記憶部に記憶されている初期画像データを前記サーバに送信して前記保存部に記憶させた後にこの初期画像データに対応する低解像度画像データを生成し、この低解像度画像データを記憶部に記憶すると共に初期画像データを消去するようにしたことを特徴とするものである。
【００１２】
また、本発明による携帯端末装置は、
初期画像データ又は／及びこの初期画像データに対応する低解像度画像データを記憶する記憶部と、
初期画像データ又は／及び低解像度画像データを表示する表示部と、
前記記憶部に記憶されている初期画像データを通信網のサーバに送信する通信部と、
前記記憶部に記憶されている初期画像データを前記通信部により前記サーバに送信する場合に、この初期画像データに対応する低解像度画像データを生成し、この低解像度画像データを記憶部に記憶すると共に初期画像データを消去する画像処理部とを有することを特徴とするものである。
【００１３】
また、本発明による携帯端末装置は、
前記記憶部に初期画像データが記憶され、かつ、この初期画像データに対応する低解像度画像データが記憶されていない場合には、この初期画像データから生成されたサムネイル画像を前記表示部に表示し、
前記記憶部に初期画像データが記憶されているか否かに関わらずこの初期画像データに対応する低解像度画像データが記憶されている場合には、この低解像度画像データをサムネイル画像として前記表示部に表示するようにしたことを特徴とする。
【００１４】
また、本発明による携帯端末装置は、低解像度画像データを前記表示部に表示しているときに所定の操作が行われた場合には、この低解像度画像データに対応する初期画像データをサーバから受信して前記記憶部に記憶するようにしたことを特徴とする。
【００１５】
また、本発明による携帯端末装置は、初期画像データを前記サーバから受信する場合には、低解像度画像データを消去するようにしたことを特徴とする。
【００１６】
また、本発明は、
携帯端末装置と画像データの送受信を行なうサーバであって、
前記携帯端末装置から受信した画像データを記憶する保存部を有し、
前記携帯端末装置からの要求に基づき前記保存部に記憶していた画像データを前記携帯端末装置に送信した場合には、この画像データを前記保存部から消去するようにしたことを特徴とする。
【発明の効果】
【００１７】
このような本発明の画像データ送信システム及び画像データ送信方法並びに携帯端末装置によれば、この携帯端末装置が、その記憶部の記憶容量を節約するために画像データをサーバに送信して消去した後であっても、記憶容量を節約しつつ、その画像データの内容を自機の表示部に表示させることができる。
【発明を実施するための最良の形態】
【００１８】
以下、本発明の実施の形態について、図面に基づいて具体的に説明する。図１ないし図５は、本発明の一実施の形態に係る画像データ送信システム及び画像データ送信方法並びに携帯端末装置について説明するために参照する図である。
【００１９】
図１に示すように、撮像機能付き携帯電話機２（携帯端末装置に相当）は、無線の基地局４を介して、通信網６のサーバ８と通信を行うことができるようになっている。
【００２０】
上記サーバ８には、通信部１０、データ処理部１２、保存部１４、及びこれらを制御する制御部１６が備えられている。また、このサーバ８は、撮像機能付き携帯電話機２からの要求に応じて、制御部１６の管理の下で通信部１０が通信を行うようになっており、撮像機能付き携帯電話機２から画像データが送信されてきた場合には、この画像データを保存部１４に記憶するようになっている。
【００２１】
また、サーバ８は、撮像機能付き携帯電話機２から画像データの送信要求の信号を受信した場合には、保存部１４に記憶されている様々なデータの中から対応するデータを検出して、これを撮像機能付き携帯電話機２に送信するようになっている。
【００２２】
次に、図２に示すように、撮像機能付き携帯電話機２は、カメラ部１８（撮像部）、表示部２０、記憶部２２、画像処理部２４、通信部２６、操作部２８、及びこれらを制御する制御部３０を備えるようになっている。
【００２３】
このような撮像機能付き携帯電話機２は、カメラ部１８により撮影された画像データを表示部２０に表示させることができるようになっていて、撮影する際には、その画像データの解像度を調節することができるようになっている。また、カメラ部１８により撮影した画像データは、記憶部２２に記憶させることができ、記憶した画像データは再び読み出して表示部２０に表示させることができるようになっている。
【００２４】
また、通信部２６は、通話の通信だけでなく、画像データの送受信もできるようになっており、通信部２６から受信した画像データは、カメラ部１８で撮影した画像データと同様に、記憶部２２に記憶させることができ、この記憶した画像データは読み出して表示部２０に表示させることができるようになっている。
【００２５】
また、図示しないが、表示部２０には、その表示面のほぼ全面に画像データを１枚ごとに表示することができるようになっている。また、後述するように、画像データを一度に閲覧することができるように、見本用に縮小したサムネイル画像を表示することもできるようになっている。
【００２６】
また、記憶部２２は、カメラ部１８により撮影された画像データや通信部２６により受信した画像データの他に、後述する低解像度画像データを記憶することができるようになっている。そして、記憶部２２は、撮影した画像データや受信した画像データと、これらの画像データに対応する低解像度画像データの両方を同時に記憶しておくことができるようになっている。
【００２７】
以後の説明において、カメラ部１８により撮影されたままの画像データや通信部２６により受信したままの画像データのように、この撮像機能付き携帯電話機２が画像処理や編集処理を全く施していないような画像データを初期画像データということとする。
【００２８】
画像処理部２４は、初期画像データが記憶部２２に記憶されている場合には、制御部３０の命令に基づいて、この初期画像データから所定の解像度の低解像度画像データを生成することができるようになっている。
【００２９】
画像データは、解像度が低いほど不鮮明でデータ量は小さくなるので、元の初期画像データが低解像度画像データの所定の解像度以上である場合には、この初期画像データから生成される低解像度画像データは、元の初期画像データよりも不鮮明でデータ量が小さくなる。
【００３０】
また、元の初期画像データの解像度が低解像度画像データの所定の解像度以下である場合には、画像処理部２４は、初期画像データの解像度よりも高い解像度で低解像度画像データを生成することができないため、低解像度画像データは、元の初期画像データと同じ鮮明度を有してデータ量もほぼ同じになる。
【００３１】
また、画像処理部２４は、制御部３０の命令に基づいて、初期画像データや低解像度画像データを記憶部２２に記憶させたり消去したりすることができるようになっている。
【００３２】
次に、撮像機能付き携帯電話機２に対して、所定の操作が行なわれたときの制御部３０の制御動作について説明する。
【００３３】
撮像機能付き携帯電話機２に対して、初期画像データをサーバ８に送信する操作が行なわれた場合には、制御部３０は、図３のフローチャートに示すような制御動作を行なうようになっている。
【００３４】
すなわち、ユーザーが、記憶部２２に記憶されている複数の初期画像データの中からいずれかの初期画像データを選択して所定の操作を行なうと、制御部３０は、通信部２６にその初期画像データをサーバ８に対して送信させるようになっている（ステップＳ１１）。
【００３５】
そして、制御部３０は、画像処理部２４に初期画像データに対応する低解像度画像データの生成、及びこの低解像度画像データの記憶部２２への記憶と、初期画像データの消去を行なわせるようになっている（ステップＳ１２、ステップＳ１３及びステップＳ１４）。ここで、ステップＳ１２は、初期画像データの送信に先立って実行するようにしてもよいし、送信中に実行するようにしてもよい。
【００３６】
すなわち、画像処理部２４は、制御部３０からの命令に基づいて、通信部２６が送信した初期画像データ又は送信中若しくは送信しようとする初期画像データから、この初期画像データに対応する低解像度画像データを生成する（ステップＳ１２）。そして、この低解像度画像データを記憶部２２に記憶させた後に（ステップＳ１３）、初期画像データを記憶部２２から消去するようになっている（ステップＳ１４）。
【００３７】
したがって、記憶部２２には、送信された元の初期画像データの代わりに、この初期画像データに対応する低解像度画像データが記憶されるようになっている。低解像度画像データは、初期画像データよりもデータ量は小さいため、記憶部２２の記憶容量を節約することができる。
【００３８】
一方、サーバ８は、撮像機能付き携帯電話機２から送信された初期画像データを受信した場合には、この初期画像データを保存部１４に記憶するようになっている。したがって、初期画像データは、撮像機能付き携帯電話機２の記憶部２２からは消去されてしまうが、サーバ８の保存部１４に保存しておくことができる。
【００３９】
また、撮像機能付き携帯電話機２に対して、表示部２０にサムネイル画像の表示をさせるための操作、及び初期画像データ又は低解像度画像データの中からいずれを表示するかについて選択する操作が行なわれた場合には、制御部３０は、図４のフローチャートに示すような制御動作を行なうようになっている。
【００４０】
ここで、表示部２０にサムネイル画像を表示させるための操作、及び初期画像データ又は低解像度画像データの中からいずれを表示するかについて選択する操作が行なわれたときにおける、制御部３０の制御動作（図４中のステップＳ２１の直前までの制御動作）は本願発明そのものではないため、詳細な説明は省略する。
【００４１】
サムネイル画像の表示のためにユーザーが所定の操作を行なうと、ステップＳ２１の直前において、ユーザーがサムネイル画像として表示させたい初期画像データ又は低解像度画像データを選択することができるように、不図示の画像名称の一覧が表示部２０に表示されるようになっている。
【００４２】
ユーザーの操作により、この画像名称の一覧の中から特定の画像名称が選択されると（ステップＳ２１）、制御部３０は、選択された画像名称に対応する低解像度画像データが記憶部２２に記憶されているかどうかについて判断するようになっている（ステップＳ２２）。
【００４３】
記憶部２２に低解像度画像データが記憶されている場合には（ステップＳ２２のＹＥＳ）、制御部３０は、この低解像度画像データをサムネイル画像として表示部２０の所定位置に表示させるようになっている（ステップＳ２３）。
【００４４】
また、記憶部２２に低解像度画像データが記憶されていない場合には（ステップＳ２２のＮＯ）、記憶部２２に記憶されている初期画像データに基づいて、画像処理部２４にサムネイル画像を生成させて（ステップＳ２４）、このサムネイル画像を表示部２０の所定位置に表示させるようになっている（ステップＳ２５）。
【００４５】
次に、この撮像機能付き携帯電話機２は、低解像度画像データをサムネイル画像として表示部２０に表示しているときに、この低解像度画像データに対応する初期画像データをサーバ８から記憶部２２に読み込むことができるようになっている。このとき、この撮像機能付き携帯電話機２の制御部３０、及びサーバ８は、図５のフローチャートに示すように、互いに対応する動作を行なうようになっている。
【００４６】
すなわち、撮像機能付き携帯電話機２の表示部２０に表示されている、サムネイル画像としての低解像度画像データについて、ユーザーにより初期画像データを記憶部２２に読み込むように指示する旨の操作が行なわれると（ステップＳ３１１）、制御部３０は、サーバ８に対して、ユーザーにより選択された低解像度画像データに対応する初期画像データを要求する信号を通信部２６に送信させる（ステップＳ３１２）。
【００４７】
一方、サーバ８は、受信の待受け状態のときに（ステップＳ３２１）、撮像機能付き携帯電話機２からの要求の信号を受信すると（ステップＳ３２２）、保存部１４に記憶されている様々なデータの中から撮像機能付き携帯電話機２の要求する初期画像データを検出して、これを撮像機能付き携帯電話機２に送信するようになっている（ステップＳ３２３）。そして、サーバ８は、送信した初期画像データを保存部１４から消去するようになっている（ステップＳ３２４）。
【００４８】
撮像機能付き携帯電話機２の制御部３０は、サーバ８から送信された初期画像データを受信すると（ステップＳ３１３）、画像処理部２４に命令して、この初期画像データを記憶部２２に記憶させるようになっている（ステップＳ３１４）。そして、この初期画像データに対応する低解像度画像データを記憶部２２から消去させるようになっている（ステップＳ３１５）。
【００４９】
このような画像データ送信システム及び画像データ送信方法並びに撮像機能付き携帯電話機２によれば、この撮像機能付き携帯電話機２が、その記憶部２２の記憶容量を節約するために初期画像データをサーバに送信して消去した後であっても、対応する低解像度画像データを記憶しておくようになっているので、その画像データの内容を自機の表示部２０に表示させることができる。
【００５０】
また、撮像機能付き携帯電話機２の記憶部２２から既に消去した初期画像データが必要になった場合には、サーバ８に対して初期画像データを要求して送信させることにより、記憶部２２に再び記憶させることができる。また、その際に、この初期画像データに対応する低解像度画像データは消去することができるので、記憶部２２の記憶容量を余分に使用することなく節約することができる。
【００５１】
また、撮像機能付き携帯電話機２の記憶部２２に、低解像度画像データが記憶されている場合には、これをサムネイル画像として表示部２０に表示させることができる。
【００５２】
また、サーバ８は、撮像機能付き携帯電話機２からの要求に基づいて、保存部１４に記憶していた初期画像データを撮像機能付き携帯電話機２に送信した場合には、この初期画像データを保存部１４から消去するようになっているので、保存部１４の記憶容量を余分に使用することなく節約することができる。
【００５３】
なお、本実施の形態においては、撮像機能付き携帯電話機２の記憶部２２は、初期画像データ及びこの初期画像データに対応する低解像度画像データの両方を同時に記憶しておくことができるようになっているが、初期画像データを記憶している場合には対応する低解像度画像データを消去するようになっていて、低解像度画像データを記憶している場合には初期画像データを消去するようになっていてもよい。
【００５４】
また、サーバ８は、撮像機能付き携帯電話機２から受信した初期画像データを保存部１４に記憶するだけでなく、撮像機能付き携帯電話機２からの要求によりその初期画像データを印刷することができるようになっていてもよい。
【００５５】
また、本実施の形態では、図５のフローチャートのステップＳ３２３において、サーバ８は、初期画像データを撮像機能付き携帯電話機２に送信した後、ステップＳ３２４で送信した初期画像データを保存部１４から消去するようになっているが、このステップＳ３２４の動作を行なわないようになっていてもよい。
【００５６】
また、撮像機能付き携帯電話機２の制御部３０は、ステップＳ３１３及びステップＳ３１４において、サーバ８から初期画像データを受信して記憶部２２に記憶した後に、ステップＳ３１５において、この初期画像データに対応する低解像度画像データを記憶部２２から消去させるようになっているが、このステップＳ３１５の動作を行なわないようになっていてもよい。
【００５７】
また、撮像機能付き携帯電話機２の制御部３０は、ステップＳ３１１における初期画像データを記憶部２２に読み込むように指示する旨の操作が行なわれた直後から、ステップＳ３１２ないしステップＳ３１４において、初期画像データを要求する信号を送信し、サーバ８から初期画像データを受信して記憶部２２に記憶するまでの間のいずれかの時点において、Ｓ３１５の低解像度画像データを記憶部２２から消去する動作を開始するようになっていてもよい。
【００５８】
また、本実施の形態に係る画像データ送信システムにおいては、携帯端末装置として撮像機能付き携帯電話機２が用いられる場合について説明したが、撮像機能を備えていない携帯電話機が用いられるようになっていてもよい。
【００５９】
また、携帯端末装置は、通信機能を備えるＰＤＡ（Ｐｅｒｓｏｎａｌ  Ｄｉｇｉｔａｌ  Ａｓｓｉｓｔａｎｔ）のように、携帯電話機以外の他の種類の携帯端末装置を用いるようにしてもよいことはいうまでもない。
【図面の簡単な説明】
【００６０】
【図１】本発明の一実施の形態に係る画像データ送信システムを示す構成図である。
【図２】図１に示す撮像機能付き携帯電話機２の回路構成を示すブロック図である。
【図３】初期画像データをサーバ８に送信したときにおける撮像機能付き携帯電話機２の制御部８の動作手順を示すフローチャートである。
【図４】サムネイル画像を表示させるときにおける撮像機能付き携帯電話機２の制御部８の動作手順を示すフローチャートである。
【図５】低解像度画像データに対応する初期画像データをサーバ８から読み込むときにおける撮像機能付き携帯電話機２の制御部８の動作手順を示すフローチャートである。
【符号の説明】
【００６１】
２  撮像機能付き携帯電話機
４  基地局
６  通信網
８  サーバ
１０  通信部
１２  データ処理部
１４  保存部
２０  表示部
２２  記憶部
２４  画像処理部
２６  通信部
２８  操作部
３０  制御部
【図１】
2005109684.tif 000003
【図２】
2005109684.tif 000004
【図３】
2005109684.tif 000005
【図４】
2005109684.tif 000006
【図５】
2005109684.tif 000007